(57)【要約】【課題】帯域を狭めたり、課金を生じたりすることなく、通信経路を切り換えること。【解決手段】他の拠点２０と冗長化された通信経路３１，３２を介して接続される拠点１０に配置され、通信経路３１，３２のそれぞれに対して備えられた中継装置（ゲートウエイＸ，Ｙ）であって、当該拠点１０内に配置される通信装置（サーバ１４）に対してデータリンク層を参照して経路を選択する経路選択装置（Ｌ２スイッチ１３）を介して接続されるＬ２透過型の中継装置（ゲートウエイＸ，Ｙ）において、通信経路の切り換えによって新たに現用系となることが通知された場合には、他の拠点が有する通信装置（クライアント２３）のＭＡＣアドレスを送信元とするパケットを、経路選択装置（Ｌ２スイッチ１３）を介して当該拠点内の他の装置に対して送信することで、経路選択装置（Ｌ２スイッチ１３）によって選択される経路を変更する。【選択図】図１
2015226230.tif 000002
【特許請求の範囲】
【請求項１】
他の拠点と冗長化された通信経路を介して接続される拠点に配置され、前記冗長化された通信経路のそれぞれに対して備えられた中継装置であって、当該拠点内に配置される通信装置に対してデータリンク層を参照して経路を選択する経路選択装置を介して接続されるＬ２透過型の中継装置において、
前記通信経路の切り換えによって、新たに現用系となることが通知された場合には、前記他の拠点が有する通信装置のＭＡＣアドレスを送信元とするパケットを、前記経路選択装置を介して当該拠点内の他の装置に対して送信することで、前記経路選択装置によって選択される経路を変更することを特徴とする中継装置。
【請求項２】
新たに現用系になることが通知された以外の中継装置は、前記他の拠点が有する通信装置のＭＡＣアドレスを送信元とするパケットを受信した場合には、前記他の拠点に対しては当該パケットを転送しないことを特徴とする請求項１に記載の中継装置。
【請求項３】
他の拠点と冗長化された通信経路を介して接続される拠点に配置され、前記冗長化された通信経路のそれぞれに対して備えられた中継装置の中継方法であって、当該拠点内に配置される通信装置に対してデータリンク層を参照して経路を選択する経路選択装置を介して接続されるＬ２透過型の中継装置の中継方法において、
前記通信経路の切り換えによって、新たに現用系となることが通知された場合には、前記他の拠点が有する通信装置のＭＡＣアドレスを送信元とするパケットを、前記経路選択装置を介して当該拠点内の他の装置に対して送信することで、前記経路選択装置によって選択される経路を変更することを特徴とする中継装置の中継方法。
【発明の詳細な説明】
【技術分野】
【０００１】
本発明は、中継装置および中継方法に関するものである。
【背景技術】
【０００２】
通信システムでは、通信経路を冗長化することで、障害が発生した場合でも通信が不能になることを回避する技術がある。
【０００３】
このような技術としては、例えば、特許文献１がある。特許文献１に開示された技術では、ＩＰｓｅｃ監視手段１１２が現用経路のＩＰｓｅｃ通信の異常を検知すると、ブリッジテーブル１１３から自装置のイーサネット（登録商標）インタフェースに関連付くＭＡＣアドレスを抽出し、このＭＡＣアドレスを、予備経路を介して対向拠点に送信するブリッジ制御手段１１１とを備えることで、通信経路を予備経路に切り換えることができる。
【先行技術文献】
【特許文献】
【０００４】
【特許文献１】特開２０１２−２３１３６８号公報
【発明の概要】
【発明が解決しようとする課題】
【０００５】
ところで、特許文献１に開示された技術では、経路を切り換えるためのパケットは、インターネット７０１を介して送信されることから、インターネット７０１の帯域を狭めるとともに、通信システムによっては課金が生じる場合があるという問題点がある。
【０００６】
本発明は、帯域を狭めたり、課金を生じたりすることなく、通信経路を切り換えることが可能な中継装置および中継方法を提供することを目的としている。
【課題を解決するための手段】
【０００７】
上記課題を解決するために、本発明は、他の拠点と冗長化された通信経路を介して接続される拠点に配置され、前記冗長化された通信経路のそれぞれに対して備えられた中継装置であって、当該拠点内に配置される通信装置に対してデータリンク層を参照して経路を選択する経路選択装置を介して接続されるＬ２透過型の中継装置において、前記通信経路の切り換えによって、新たに現用系となることが通知された場合には、前記他の拠点が有する通信装置のＭＡＣアドレスを送信元とするパケットを、前記経路選択装置を介して当該拠点内の他の装置に対して送信することで、前記経路選択装置によって選択される経路を変更することを特徴とする。
このような構成によれば、帯域を狭めたり、課金を生じたりすることなく、通信経路を切り換えることが可能となる。
【０００８】
また、本発明は、新たに現用系になることが通知された以外の中継装置は、前記他の拠点が有する通信装置のＭＡＣアドレスを送信元とするパケットを受信した場合には、前記他の拠点に対しては当該パケットを転送しないことを特徴とする。
このような構成によれば、他の拠点に対して、パケットが転送されてしまうことを確実に防ぐことができる。
【０００９】
また、本発明は、他の拠点と冗長化された通信経路を介して接続される拠点に配置され、前記冗長化された通信経路のそれぞれに対して備えられた中継装置の中継方法であって、当該拠点内に配置される通信装置に対してデータリンク層を参照して経路を選択する経路選択装置を介して接続されるＬ２透過型の中継装置の中継方法において、前記通信経路の切り換えによって、新たに現用系となることが通知された場合には、前記他の拠点が有する通信装置のＭＡＣアドレスを送信元とするパケットを、前記経路選択装置を介して当該拠点内の他の装置に対して送信することで、前記経路選択装置によって選択される経路を変更することを特徴とする。
このような方法によれば、帯域を狭めたり、課金を生じたりすることなく、通信経路を切り換えることが可能となる。
【発明の効果】
【００１０】
本発明によれば、帯域を狭めたり、課金を生じたりすることなく、通信経路を切り換えることが可能な中継装置および中継方法を提供することが可能となる。
【図面の簡単な説明】
【００１１】
【図１】本発明の実施形態に係る通信システムの構成例を示す図である。
【図２】図１に示す通信システムの動作を説明するためのシグナルフロー図である。
【図３】図１に示す通信システムの各通信装置に格納されている中継用学習テーブルの例である。
【図４】クライアントからパケットが送信される状態を示す図である。
【図５】図４の後の各中継用学習テーブルの状態を示す図である。
【図６】ＣＰＥから切り換え通知がなされる状態を示す図である。
【図７】切り換え通知を行うための情報の一例を示す図である。
【図８】切り換え通知を受けた後に、ゲートウエイＸがブロードキャストパケットを送信する状態を示す図である。
【図９】図８の後の各中継用学習テーブルの状態を示す図である。
【図１０】クライアントからのパケットを受信する状態を示す図である。
【図１１】図１０の後の各中継用学習テーブルの状態を示す図である。
【図１２】サーバからクライアントへのパケットの流れを示す図である。
【図１３】本発明の実施形態に係る通信システムの他の構成例を示す図である。
【発明を実施するための形態】
【００１２】
次に、本発明の実施形態について説明する。
【００１３】
（Ａ）実施形態の構成の説明
図１は、本発明の実施形態に係る通信システムの構成例を示す図である。この図１に示す例では、通信システムは、拠点１０，２０を有しており、これらの拠点１０，２０は、冗長化された通信経路３１，３２によって接続されている。
【００１４】
拠点１０は、ゲートウエイＸ１１（以下、単に「ゲートウエイＸ」と称する）、ゲートウエイＹ１２（以下、単に「ゲートウエイＹ」と称する）、Ｌ２（Layer 2）スイッチ１３、および、サーバ１４を有している。ここで、ゲートウエイＸは、インタフェースＩＦ１１，ＩＦ１２を有し、通信経路３１とＬ２スイッチ１３を接続する。また、ゲートウエイＸは、Ｌ２を透過する構成とされている。なお、インタフェースＩＦ１２にはＭＡＣ（Media Access Control）アドレスとして「Ｘ」が付与されている。ゲートウエイＹは、インタフェースＩＦ２１，ＩＦ２２を有し、通信経路３２とＬ２スイッチ１３を接続する。また、ゲートウエイＹは、Ｌ２を透過する構成とされている。なお、インタフェースＩＦ２２にはＭＡＣアドレスとして「Ｙ」が付与されている。Ｌ２スイッチ１３は、インタフェースＩＦ３１，ＩＦ３２，ＩＦ３３を有し、ＯＳＩ（Open Systems Interconnection）参照モデルの第２層（データリンク層）で扱われるＭＡＣアドレスに基づいて、受信したパケットの伝送先を選択して出力する。サーバ１４は、サーバクライアントモデルのサーバに該当し、クライアント２３からの要求に基づいて、所定の情報の取得または所定の処理を実行し、その結果として得られたデータを送信する。なお、サーバ１４にはＭＡＣアドレスとして「Ｂ」が付与されている。
【００１５】
拠点２０は、ＣＰＥ（Customer Premises Equipment）２１、ＬＡＮ（Local Area Network）２２、および、クライアント２３を有している。ＣＰＥ２１は、例えば、ルーターやスイッチ等によって構成され、拠点２０内に配置される通信装置である。ＬＡＮ２２は、拠点２０内に配設された局所的なネットワークである。クライアント２３は、サーバクライアントモデルのクライアントに該当し、サーバ１４に対して所定の情報の送信または処理の実行を要求し、その結果として送信される情報を受信する。なお、クライアント２３にはＭＡＣアドレスとして「Ａ」が付与されている。
【００１６】
通信経路３１は、ＣＰＥ２１とゲートウエイＸを接続し、これらの間でデータの授受を可能とする。通信経路３２は、ＣＰＥ２１とゲートウエイＹを接続し、これらの間でデータの授受を可能とする。なお、通信経路３１，３２は、物理的な線路として構成されてもよいし、あるいは、論理的な線路（例えば、トンネル経路）として構成されてもよい。
【００１７】
（Ｂ）実施形態の動作の説明
つぎに、図１に示す実施形態の動作について説明する。図２は、図１に示す実施形態の動作を説明するためのシグナルフロー図である。例えば、図１に示す通信システムに、ゲートウエイＸ，Ｙが接続された後にシステムが起動されたとする。このとき、ゲートウエイＸ、ゲートウエイＹ、および、Ｌ２スイッチ１３にそれぞれ格納されている中継用学習テーブルの状態の一例を図３に示す。図３（Ａ）は、ゲートウエイＸに格納されている中継用学習テーブルを示している。中継用学習テーブルは、通信装置のＭＡＣアドレスと、その通信装置が接続されているインタフェースとを対応付けて格納するテーブルである。なお、図３（Ａ）の例では、ゲートウエイＸは接続された直後の状態であるので、中継用学習テーブルは空「−」の状態とされている。図３（Ｂ）は、ゲートウエイＹに格納されている中継用学習テーブルを示しており、ゲートウエイＹも接続された直後の状態であるので、中継用学習テーブルは空「−」の状態とされている。図３（Ｃ）は、Ｌ２スイッチ１３に格納されている中継用学習テーブルを示しており、この例では、サーバ１４のＭＡＣアドレスである「Ｂ」と、サーバ１４が接続されているインタフェースである「ＩＦ３３」が対応付けされて格納されている。
【００１８】
このような状態において、通信経路３１が現用系（メイン系）に、通信経路３２が予備系（バックアップ系）に設定されたとする。そして、図２に示すタイミングＴ１において、図４に示すように、クライアント２３が、サーバ１４に向けてパケットを送信すると、図２に示すようにＣＰＥ２１はこのパケットを、通信経路３１を介して送信する。この結果、ゲートウエイ（ＧＷ）Ｘは、このパケットを受信する。このパケットの送信元ＭＡＣアドレスは「Ａ」とされ、送信先ＭＡＣアドレスは「Ｂ」とされている。ところで、ゲートウエイＸ（ゲートウエイＹも同様）は、前述したようにＬ２透過型である。このため、このようなパケットをゲートウエイＸが受信すると、送信元ＭＡＣアドレスは「Ａ」のままで、タイミングＴ２においてこのパケットをＬ２スイッチ１３に対して転送するとともに、テーブル更新処理Ｐ１を実行する。テーブル更新処理Ｐ１が実行されると、図５（Ａ）に示すように、ゲートウエイＸの中継用学習テーブルには、ＭＡＣアドレスとして「Ａ」（クライアント２３のＭＡＣアドレス）が格納されるとともに、インタフェースとして「ＩＦ１１」（クライアント２３からのパケットを受信したインタフェース）が格納される。
【００１９】
ゲートウエイＸのＩＦ１２から出力されたパケットは、Ｌ２スイッチ１３のＩＦ３１から入力される。Ｌ２スイッチ１３は、パケットを受信すると、図２に示すテーブル更新処理Ｐ２を実行する。なお、前述したように、ゲートウエイＸは（ゲートウエイＹも同様に）、Ｌ２透過型のゲートウエイであるので、送信元アドレスは「Ａ」のままとされる。テーブル更新処理Ｐ２が実行されると、図５（Ｃ）に示すように、Ｌ２スイッチ１３の中継用学習テーブルには、ＭＡＣアドレスとして「Ａ」（クライアント２３のＭＡＣアドレス）が格納されるとともに、インタフェースとして「ＩＦ３１」（クライアント２３からのパケットを受信したインタフェース）が対応付けされて格納される。
【００２０】
以上の処理が完了した後に、サーバ１４からクライアント２３に向けてパケットが送信されると、このパケットはＬ２スイッチ１３によって受信される。Ｌ２スイッチ１３は、パケットの送信先ＭＡＣアドレスである「Ａ」を取得し、図５（Ｃ）に示す中継用学習テーブルからインタフェースである「ＩＦ３１」を取得し、受信したパケットを、インタフェースＩＦ３１から出力する。ゲートウエイＸは、ＩＦ１２を介して入力したパケットから、送信先ＭＡＣアドレスである「Ａ」を取得し、図５（Ａ）に示す中継用学習テーブルからインタフェースの「ＩＦ１１」を取得し、入力したパケットを、インタフェースＩＦ１１から出力する。この結果、サーバ１４から送信されたパケットはＬ２スイッチ１３、ゲートウエイＸ、ＣＰＥ２１を介してクライアント２３に伝送される。これにより、サーバ１４とクライアント２３の間の通信が可能になる。
【００２１】
つぎに、以上のような状態において、通信経路３１に障害が発生したとする。そのような場合には、例えば、ＣＰＥ２１が障害を検出し、通信経路３１から通信経路３２に現用系を切り換える処理を実行する。より詳細には、ＣＰＥ２１は、図６に示すように、ゲートウエイＹに対して切り換え通知（予備系から現用系に切り換える通知）を行う。図２では、切り換え通知は、タイミングＴ３において実行されている。なお、切り換え通知を行うための具体的な方法としては、例えば、図７に示すようなＣｉｒｃｕｉｔ  Ｓｔａｔｕｓ  ＡＶＰ（Attribute Value Pair）（ＲＦＣ  ３９３１に規定）を用いることができる。図７は、１６ビットの信号を示し、切り換え通知を行う情報としては、第Ｆビット目の「Ａ」を用いることができる。このビットが「１」である場合にはＡｃｔｉｖｅを示し、このビットが「０」である場合にはＩｎａｃｔｉｖｅを示す。Ａｃｔｉｖｅの場合には、予備系から現用系になることが示される。Ｉｎａｃｔｉｖｅの場合には、現用系から予備系になることが示される。なお、通信経路３１が通信可能である場合には、ゲートウエイＸに対して、図７に示す第Ｆビットを「０」に設定した信号を送ることで、現用系から予備系に切り換えることを通知するようにしてもよい。
【００２２】
ＣＰＥ２１から、切り換え通知を受けたゲートウエイＹは、図２に示す切り換え処理Ｐ３を実行する。より詳細には、ゲートウエイＹは、図８に示すように、送信元（ＳＲＣ：Source）ＭＡＣアドレスを「Ａ」（新たに現用系となる通信経路の先に存在する通信装置のＭＡＣアドレス）とし、送信先（ＤＳＴ：Destination）を拠点１０内の他の装置（図８の例では他の全ての装置を示す「ＡＬＬ」）とするパケット（図８ではブロードキャストパケット）を生成し、図２に示すタイミングＴ４において、Ｌ２スイッチ１３が接続されるインタフェースＩＦ２２から出力する。ここで、正常時であれば、ゲートウエイＹが送信するパケットの送信元ＭＡＣアドレスは「Ｙ」とすべきであるが、本実施形態では、このときに送信するパケットに対して、新たに現用系となる通信経路３２の先に存在する通信装置（クライアント２３）のＭＡＣアドレスを付加する。なお、切り換え通知がなされた際に、付加するべき送信元ＭＡＣアドレスは、例えば、Ｃｏｎｆｉｇ情報として、ゲートウエイＹ（およびゲートウエイＸ）に予め格納しておくことができる。
【００２３】
ゲートウエイＹから図８に示すようなブロードキャストパケットが送信されると、Ｌ２スイッチ１３はインタフェースＩＦ３２を介して受信する。Ｌ２スイッチ１３は、受信したパケットがブロードキャストパケットである（送信先が「ＡＬＬ」である）ことから、図２に示すようにタイミングＴ５にてゲートウエイＸに対してこのパケットを転送する。また、Ｌ２スイッチ１３は、図２に示すように、テーブル更新処理Ｐ４を実行する。より詳細には、Ｌ２スイッチ１３は、受信したパケットの送信元ＭＡＣアドレスが「Ａ」であることから、ＭＡＣアドレスが「Ａ」の通信装置がインタフェースＩＦ３２に接続されていると判断し、図５（Ｃ）に示すＭＡＣアドレス「Ａ」に対応づけられているインタフェース「ＩＦ３１」を、図９（Ｃ）に示すように、インタフェース「ＩＦ３２」に変更する。この結果、これ以降は、Ｌ２スイッチ１３が受信した、送信先ＭＡＣアドレスが「Ａ」であるパケットは、インタフェースＩＦ３２から出力されることになる。
【００２４】
Ｌ２スイッチ１３からブロードキャストパケットを受信したゲートウエイＸは、図２に示すようにテーブル更新処理Ｐ５を実行する。より詳細には、ゲートウエイＸは、受信したパケットの送信元ＭＡＣアドレスが「Ａ」であり、インタフェースが「ＩＦ１２」であるが、その時点での中継用学習テーブルには、図５（Ａ）に示すように、ＭＡＣアドレス「Ａ」はインタフェース「ＩＦ１１」に対応付けられていることから、これらが一致しないため、システムの構成が変化したと判断し、中継用学習テーブルを、図９（Ａ）に示すように、ＭＡＣアドレス「Ａ」に対応付けられたインタフェースを「ＩＦ１１」から「ＩＦ１２」に更新する。この結果、これ以降は、ゲートウエイＸは、送信先ＭＡＣアドレスとして「Ａ」が格納されているパケットを、インタフェースＩＦ１２から出力する。通信経路３１は障害が発生しているので、ゲートウエイＸが受信したブロードキャストパケットは、通信経路３１に送出されることはない。なお、前述したように、ゲートウエイＸは、ＣＰＥ２１から予備系になる旨の通知を受けた後に受信したパケットについては、拠点２０に対して転送しないようにしてもよい。そのような構成によれば、ゲートウエイＸから通信経路３１に対してパケットが送信され、帯域が制限されたり、課金が生じたりすることを確実に防止できる。
【００２５】
以上の処理によって、ゲートウエイＸとＬ２スイッチ１３の中継用学習テーブルが更新された後、図１０に示すように、クライアント２３からサーバ１４に向けてパケットが送信されたとする（送信元ＭＡＣアドレスが「Ａ」のパケットが送信されたとする）。図２では、タイミングＴ６において、ＣＰＥ２１を介してパケットが送信されている。ゲートウエイＹがこのようなパケットを受信すると、テーブル更新処理Ｐ６を実行する。より詳細には、ゲートウエイＹは、ＭＡＣアドレスが「Ａ」である通信装置がインタフェースＩＦ２１に接続されていると判断し、図１１（Ｂ）に示すように、中継用学習テーブルのＭＡＣアドレスに「Ａ」を格納するとともに、インタフェースに「ＩＦ２１」を対応付けて格納する。
【００２６】
以上の処理が実行され、中継用学習テーブルが図１１の状態に更新された後に、図１２に示すように、サーバ１４からクライアント２３に向けてパケット（送信元ＭＡＣアドレスが「Ｂ」であり、送信先ＭＡＣアドレスが「Ａ」であるパケット）が送信されたとする。Ｌ２スイッチ１３は、図１１（Ｃ）に示す中継用学習テーブルを参照して、このパケットを、インタフェースＩＦ３２から出力し、ゲートウエイＹに供給する。ゲートウエイＹは、図１１（Ｂ）に示す中継用学習テーブルを参照し、インタフェースＩＦ２１からパケットを出力し、通信経路３２およびＣＰＥ２１を介してクライアント２３に供給する。これにより、通信経路３１から通信経路３２への切り換えが完了する。
【００２７】
以上に説明したように、本発明の実施形態では、通信経路の切り換えを行う際には、図８に示すように、新たに現用系となるゲートウエイＹが、通信経路３２に接続されている通信装置（クライアント２３）のＭＡＣアドレス（「Ａ」）を送信元とするパケットを送信するようにした。これにより、拠点１０内の装置の中継用学習テーブルを確実に書き換えることができる。また、本実施形態では、ゲートウエイＹがこのようなパケットを送信することから、このようなパケットを拠点２０側が送信する場合に比較すると、拠点２０から拠点１０に向けてパケットが伝送されなくなるので、帯域が制限されたり、課金が発生したりすることを防ぐことができる。
【００２８】
また、本実施形態では、図８に示すパケットとしてブロードキャストパケットを用いるようにしたので、拠点１０内の全ての通信装置に対して情報を確実に伝えることができる。
【００２９】
また、本実施形態では、新たに予備系となるゲートウエイＸについては、通信経路３１に障害が発生しているため、ゲートウエイＸが受信したブロードキャストパケットは、通信経路３１には送出されない。また、前述したように、予備系になるゲートウエイＸに対してＣＰＥ２１が通知を行い、通知を受けたゲートウエイＸは、それ以降はパケットを拠点２０に対して転送しないようにすることで、パケットが通信経路３１に送出され、帯域が制限されたり、課金が発生したりすることを確実に防止できる。
【００３０】
（Ｃ）変形実施形態の説明
以上の実施形態は一例であって、本発明が上述したような場合のみに限定されるものでないことはいうまでもない。例えば、以上の各実施形態では、図８に示すブロードキャストパケットの送信元ＭＡＣアドレスを取得する方法としては、Ｃｏｎｆｉｇ情報として予め格納しておく方法を採用したが、これ以外の方法を採用してもよい。具体的には、ＣＰＥ２１から通知するようにするか、あるいは、管理者がマニュアル操作で通知するようにしてもよい。また、以上の実施形態では、ブロードキャストパケットを用いるようにしたが、特定の相手に対して送信するマルチキャストパケットを用いるようにしてもよい。
【００３１】
また、以上の実施形態では、現用系と予備系が１つずつの場合を例に挙げて説明したが、予備系が２つ以上存在するようにしてもよい。図１３は予備系が２つ存在する場合の構成例である。この図１３の例では、通信経路３３とゲートウエイＺが新たに追加されている。このような構成において、ゲートウエイＸからゲートウエイＺに現用系を切り換える場合には、前述したゲートウエイＹを現用系に切り換える場合と同様の動作を、ゲートウエイＺに実行させるようにすればよい。また、ゲートウエイＸからゲートウエイＹに現用系を切り換える場合には、ゲートウエイＸおよびゲートウエイＹは前述と同様の動作を実行させることはいうまでもないが、ゲートウエイＺについては、ゲートウエイＹから受信したブロードキャストパケットに基づいて、中継用学習テーブルにＭＡＣアドレスとして「Ａ」を格納するとともに、インタフェースとして「ＩＦ４２」を対応付けて格納するようにすればよい。なお、新たに現用系になることが通知された以外のゲートウエイは、他の拠点２０が有する通信装置であるクライアント２３のＭＡＣアドレスを送信元とするパケットを受信した場合には、拠点２０に対しては当該パケットを転送しないようにすることで、通信経路に対してパケットが送出されることを防ぐことができる。
【００３２】
また、以上の実施形態では、拠点２０にはクライアントが１つだけの構成としたが、複数のクライアントを配置するようにしてもよい。その場合、図８に示すブロードキャストパケットを、クライアントの数だけ繰り返して送信するようにすればよい。例えば、拠点２０内にクライアントＡ，Ｃ，Ｄが存在する場合には、新たに現用系になるゲートウエイが、送信元ＭＡＣアドレスが「Ａ」、「Ｃ」、「Ｄ」の３つのパケットを送信するようにすればよい。
【００３３】
また、以上の実施形態では、拠点１０にはサーバが１つだけの構成としたが、複数のサーバを配置するようにしてもよい。その場合、Ｌ２スイッチ１３のポートをサーバの数に応じて増設するとともに、中継用学習テーブルに対して各サーバに応じた情報を格納するようにすればよい。
【００３４】
また、以上の実施形態では、現用系および予備系の切り換えの際には、図７に示す情報を用いるようにしたが、これ以外の情報を用いて実行するようにしてもよい。
【００３５】
また、以上の実施形態では、拠点１０にはサーバを配置し、拠点２０にはクライアントを配置するようにしたが、拠点１０にクライアントを配置し、拠点２０にサーバを配置するようにしたり、あるいは、これ以外の通信装置を配置したりするようにしてもよい。すなわち、請求の範囲に記載されている「通信装置」は、サーバおよびクライアントのいずれでもよい。
【符号の説明】
【００３６】
１０  拠点
１１，１２  ゲートウエイ（中継装置）
１３  Ｌ２スイッチ（経路選択装置）
１４  サーバ（通信装置）
２０  拠点（他の拠点）
２１  ＣＰＥ
２２  ＬＡＮ
２３  クライアント（通信装置）
【図１】
2015226230.tif 000003
【図２】
2015226230.tif 000004
【図３】
2015226230.tif 000005
【図４】
2015226230.tif 000006
【図５】
2015226230.tif 000007
【図６】
2015226230.tif 000008
【図７】
2015226230.tif 000009
【図８】
2015226230.tif 000010
【図９】
2015226230.tif 000011
【図１０】
2015226230.tif 000012
【図１１】
2015226230.tif 000013
【図１２】
2015226230.tif 000014
【図１３】
2015226230.tif 000015